(57)【特許請求の範囲】
【請求項１】
新聞の各紙面に掲載すべき記事や画像からなる複数の要素をそれぞれ各紙面上に配置する組版端末と、この組版端末によって各要素が配置された紙面を表示する表示手段とを備えた新聞紙面制作システムにおいて、
前記紙面に配置された画像にカラー画像が含まれている場合、前記カラー画像を前記表示手段からカラー表示するための第１の表示用画像データ、および前記カラー画像を前記表示手段からモノクロ表示するための第２の表示用画像データを、前記カラー画像毎に記憶した画像データ記憶手段と、
前記紙面を前記表示手段から表示する表示方法として、カラー表示するのか、あるいはモノクロ表示するのかを設定する表示方法設定手段と、
前記表示方法設定手段によって前記紙面の表示手段としてカラー表示が設定された場合には、前記画像データ記憶手段から前記第１の表示用画像データを取得し、前記表示方法設定手段によって前記紙面の表示手段としてモノクロ表示が設定された場合には、前記画像データ記憶手段から前記第２の表示用画像データを取得する第１の表示用画像データ取得手段と、
前記表示方法設定手段によって設定された前記紙面の表示方法を変更するための表示方法変更手段と、
前記表示方法変更手段によって前記紙面の表示方法が、カラー表示からモノクロ表示に変更された場合には、前記画像データ記憶手段から前記第２の表示用画像データを取得し、前記表示方法変更手段によって前記紙面の表示方法が、モノクロ表示からカラー表示に変更された場合には、前記画像データ記憶手段から前記第１の表示用画像データを取得する第２の表示用画像データ取得手段とを備え、
前記表示手段は、前記表示方法変更手段によって前記紙面の表示方法が変更された場合には、前記第２の表示用画像データ取得手段によって取得された前記表示用画像データを用いて、前記カラー画像が含まれている紙面を表示し、前記表示方法変更手段によって前記紙面の表示方法が変更されなかった場合には、前記第１の表示用画像データ取得手段によって取得された前記表示用画像データを用いて、前記カラー画像が含まれている紙面を表示するようにしたことを特徴とする新聞紙面制作システム。
【請求項２】
請求項１に記載の新聞紙面制作システムにおいて、
前記画像データ記憶手段は、前記紙面に配置された画像に前記カラー画像の他にモノクロ画像も含まれている場合、前記モノクロ画像を前記表示手段からモノクロ表示するための第３の表示用画像データを、前記モノクロ画像毎に記憶し、
前記第１の表示用画像データ取得手段は、前記画像データ記憶手段から前記第３の表示用画像データを取得し、
前記表示手段は、前記表示方法変更手段によって前記紙面の表示方法が変更された場合には、前記第２の表示用画像データ取得手段によって取得された前記カラー画像の前記表示用画像データと前記第１の表示用画像データ取得手段によって取得された前記モノクロ画像の前記第３の表示用画像データとを用いて、前記カラー画像および前記モノクロ画像が含まれている紙面を表示し、前記表示方法変更手段によって前記紙面の表示方法が変更されなかった場合には、前記第１の表示用画像データ取得手段によって取得された前記カラー画像の前記表示用画像データと前記第１の表示用画像データ取得手段によって取得された前記モノクロ画像の前記第３の表示用画像データとを用いて、前記カラー画像および前記モノクロ画像が含まれている紙面を表示するようにしたことを特徴とする新聞紙面制作システム。
【請求項３】
新聞の各紙面に掲載すべき記事やモノクロ画像やカラー画像からなる複数の各要素を管理する組版編集サーバと、
前記組版編集サーバから前記各要素をそれぞれ読出して前記各紙面上に配置する組版端末と、
前記紙面に配置された画像にカラー画像が含まれている場合、前記カラー画像をカラー表示するための第１の表示用画像データ、および前記カラー画像をモノクロ表示するための第２の表示用画像データを、前記カラー画像毎に記憶した画像データ記憶手段と、
前記組版端末によって記事やモノクロ画像やカラー画像が配置された紙面をモノクロ表示する場合には、前記配置されたカラー画像に対応する第２の表示用画像データを用いて、前記記事と前記モノクロ画像とともにモノクロ表示し、前記組版端末によって記事やモノクロ画像やカラー画像が配置された紙面をカラー表示する場合には、前記記事と前記モノクロ画像とをモノクロ表示し、前記カラー画像については、前記カラー画像に対応する第１の表示用画像データを用いてカラー表示する表示手段と
を備えた新聞紙面制作システム。
【発明の詳細な説明】
【０００１】
【発明の属する技術分野】
本発明は、例えば新聞社や印刷会社において新聞紙面を制作し、印刷用の版下データを制作する新聞紙面制作システムの改良に関する。
【０００２】
【従来の技術】
一般に、図１４（ａ）に示すように、新聞３１は複数の紙面３２で構成されている。各紙面３２は、第１面、政治面、経済面、スポーツ面、社会面等に分類される。各紙面３２内には、図１４（ｂ）に示すように、レイアウトに特徴があり、まとまった組物である小組（箱組）３４を複数含んでいる。そして、大組３３及び小組３４内には、複数の画像（写真、イラスト）３５や複数の記事３６が掲載される。さらに、紙面３２の下方に、広告３７が掲載される。
【０００３】
各記事３６や各画像３５は多数の新聞記者やカメラマンによって収集されて新聞社に送られる。新聞社においては、新聞記者やカメラマンから送られた膨大な量の記事や画像３５のうち、どの記事や画像３５をどの紙面３２で採用するかを決定し、採用が決まった記事３６や画像３５を編集する。
【０００４】
そして、編集された記事３６や画像３５を、記事内容や画像内容を考慮して、各紙面３２上に配置（割付け）して印刷用の版下データを作成する必要がある。特に、画像３５の場合には、カラーで表示するカラー版とするのか、モノクロで表示するモノクロ版とするのかも指定した上で配置を行う。なお、新聞紙面の版下は、カラー版の場合はＣ版、Ｍ版、Ｙ版、Ｋ版の４版分、モノクロ版の場合はＫ版の１版となる。
【０００５】
新聞３１においては、新聞記者やカメラマンから記事３６や画像３５を受信してから、短時間のうちに新聞を発行する必要があるので、上述した編集された膨大な数の記事３６や画像３５を各紙面３２に配置（割付け）する作業を複数の係員（オペレータ）で行うようにしている。
【０００６】
このような複数の係員で各記事３６や各画像３５を各紙面３２に配置する新聞紙面制作システムにおいては、各係員はそれぞれ組版端末を有し、例えば組版編集サーバに蓄えられている多数の記事３６や画像３５から、自己が担当している紙面３２の領域に配置すべき記事３６や画像３５を呼出して、紙面３２の領域に配置することによって紙面の版下を制作する。
【０００７】
最後に、このようにして制作された版下の紙面イメージをディスプレイ上で表示し、各記事３６や各画像３５が、紙面３２の領域に正しく配置されているかを確認する。
【０００８】
【発明が解決しようとする課題】
しかしながら、このような従来の新聞紙面制作システムでは、以下のような問題がある。
【０００９】
すなわち、カラー表示するカラー版の画像３５を掲載する新聞のページ位置は決まっているので、紙面３２上に画像３５を一旦カラー版として指定した場合であっても、当日の紙面構成により、このカラー版がモノクロ版に急遽変更されたり、また、その逆のケースも発生する。カラー版とモノクロ版とで変更となるのは、カラーの地紋見出し、カラーの写真、カラーのカット類である。
【００１０】
このような場合、版下出力指示時に、組版端末から、カラー版からモノクロ版への変更や、またモノクロ版からカラー版への変更に伴った指定入力を行う。
【００１１】
というのも、新聞紙面では、カラー画像から自動的に作成したモノクロ画像ではコントラストなどの画質に問題がある。そのため、カラーの画像については、カラー版用の画像データの他に、同一のモノクロ版用の画像データも用意しており、この画像の表示方法がカラー版からモノクロ版に変わった場合には、モノクロ版用の画像データに置換えなけばならない。逆に、この画像の表示方法がモノクロ版からカラー版に変わった場合には、カラー版用の画像データに置換えなけばならない。
【００１２】
しかしながら、このように表示方法の変更に伴って、画像データの置き換えを行ったとしても、組版端末のディスプレイでは、カラー表示またはモノクロ表示のどちらか一方の表示しかできないので、ディスプレイの画面上で紙面のイメージをあらかじめ掴むことができないという問題がある。
【００１３】
本発明はこのような事情に鑑みてなされたものであり、組版端末上で、紙面の表示方法がカラー版として指定された場合には、カラー画像をカラーで表示するとともにモノクロ画像をモノクロで表示し、一方、紙面の表示方法がモノクロ版として指定された場合には、カラー画像をモノクロで表示するとともにモノクロ画像をモノクロで表示し、もって、紙面のイメージを視覚的に確認することが可能な新聞紙面制作システムを提供することを目的とする。
【００１４】
【課題を解決するための手段】
上記の目的を達成するために、本発明では、以下のような手段を講じる。
【００１５】
すなわち、請求項１の発明では、新聞の各紙面に掲載すべき記事や画像からなる複数の要素をそれぞれ各紙面上に配置する組版端末と、この組版端末によって各要素が配置された紙面を表示する表示手段とを備えた新聞紙面制作システムにおいて、紙面に配置された画像にカラー画像が含まれている場合、カラー画像を表示手段からカラー表示するための第１の表示用画像データ、およびカラー画像を表示手段からモノクロ表示するための第２の表示用画像データを、カラー画像毎に記憶した画像データ記憶手段と、紙面を表示手段から表示する表示方法として、カラー表示するのか、あるいはモノクロ表示するのかを設定する表示方法設定手段と、表示方法設定手段によって紙面の表示手段としてカラー表示が設定された場合には、画像データ記憶手段から第１の表示用画像データを取得し、表示方法設定手段によって紙面の表示手段としてモノクロ表示が設定された場合には、画像データ記憶手段から第２の表示用画像データを取得する第１の表示用画像データ取得手段と、表示方法設定手段によって設定された紙面の表示方法を変更するための表示方法変更手段と、表示方法変更手段によって紙面の表示方法が、カラー表示からモノクロ表示に変更された場合には、画像データ記憶手段から第２の表示用画像データを取得し、表示方法変更手段によって紙面の表示方法が、モノクロ表示からカラー表示に変更された場合には、画像データ記憶手段から第１の表示用画像データを取得する第２の表示用画像データ取得手段とを備え、表示手段は、表示方法変更手段によって紙面の表示方法が変更された場合には、第２の表示用画像データ取得手段によって取得された表示用画像データを用いて、カラー画像が含まれている紙面を表示し、表示方法変更手段によって紙面の表示方法が変更されなかった場合には、第１の表示用画像データ取得手段によって取得された表示用画像データを用いて、カラー画像が含まれている紙面を表示する
【００１６】
その結果、紙面の表示方法の変更があった場合でも、その変更内容に応じて、紙面のイメージを掴むことが可能となる。
【００１７】
請求項２の発明では、請求項１の発明の新聞紙面制作システムにおいて、画像データ記憶手段は、紙面に配置された画像にカラー画像の他にモノクロ画像も含まれている場合、モノクロ画像を表示手段からモノクロ表示するための第３の表示用画像データを、モノクロ画像毎に記憶し、第１の表示用画像データ取得手段は、画像データ記憶手段から第３の表示用画像データを取得し、表示手段は、表示方法変更手段によって紙面の表示方法が変更された場合には、第２の表示用画像データ取得手段によって取得されたカラー画像の表示用画像データと第１の表示用画像データ取得手段によって取得されたモノクロ画像の第３の表示用画像データとを用いて、カラー画像およびモノクロ画像が含まれている紙面を表示し、表示方法変更手段によって紙面の表示方法が変更されなかった場合には、第１の表示用画像データ取得手段によって取得されたカラー画像の表示用画像データと第１の表示用画像データ取得手段によって取得されたモノクロ画像の第３の表示用画像データとを用いて、カラー画像およびモノクロ画像が含まれている紙面を表示する。
【００１８】
従って、請求項２の発明の新聞紙面制作システムにおいては、以上のような手段を講じることにより、紙面をモノクロ表示する場合には、表示手段より、カラー画像およびモノクロ画像をモノクロで表示させることができる。一方、紙面をカラー表示する場合には、表示手段より、カラー画像をカラーで表示させ、モノクロ画像をモノクロで表示させることができる。更に、一旦設定した表示方法を変更した場合においても、その変更内容に基づいてカラー画像が表示された紙面を表示手段から表示させることができる。
【００１９】
その結果、紙面の表示方法の変更があった場合でも、その変更内容に応じて、紙面のイメージを掴むことが可能となる。
【００２０】
請求項３の発明では、新聞の各紙面に掲載すべき記事やモノクロ画像やカラー画像からなる複数の各要素を管理する組版編集サーバと、組版編集サーバから各要素をそれぞれ読出して各紙面上に配置する組版端末と、組版端末によって記事やモノクロ画像やカラー画像が配置された紙面をモノクロ表示する場合には、記事とモノクロ画像とカラー画像とをモノクロ表示し、組版端末によって記事やモノクロ画像やカラー画像が配置された紙面をカラー表示する場合には、記事とモノクロ画像とをモノクロ表示し、カラー画像をカラー表示する表示手段とを備える。
【００２１】
従って、請求項３の発明の新聞紙面制作システムにおいては、以上のような手段を講じることにより、紙面をモノクロ表示する場合には、表示手段より、カラー画像およびモノクロ画像をモノクロで表示させることができる。一方、紙面をカラー表示する場合には、表示手段より、カラー画像をカラーで表示させ、モノクロ画像をモノクロで表示させることができる。
【００２２】
その結果、紙面のイメージを掴むことが可能となる。
【００２３】
【発明の実施の形態】
以下に、本発明の実施の形態について図面を参照しながら説明する。
【００２４】
なお、以下の実施の形態の説明に用いる図中の符号は、図１４と同一部分については同一符号を付して示すことにする。
【００２５】
本発明の実施の形態を図１から図１３を用いて説明する。
【００２６】
図１に、本発明の実施の形態に係る新聞紙面制作システムの一例を示す機能構成図を示す。
【００２７】
本発明の実施の形態に係る新聞紙面制作システムは、記事入力／校正端末１と、記事サーバ２と、画像入力／加工端末３と、画像サーバ４と、組版端末５と、紙面データファイル７と、組版編集サーバ８と、出力サーバ９と、プリンタ／プロッタ１０とを備えている。
【００２８】
記事入力／校正端末１は、記事の入力および校正を行うための端末であり、係員（オペレータ）から記事情報の入力を受け付け、記事サーバ２に出力する。また、記事サーバ２に蓄積されている記事情報を取得して、その記事情報に基づく校正入力を係員から受け付け、校正された記事情報を記事サーバ２に出力する。
【００２９】
記事サーバ２は、記事入力／校正端末１から入力された記事情報、または、図示しない通信回線を経由して通信社などから入力された記事情報を受信し、蓄積する。また、記事入力／校正端末１からの校正要求により、蓄積している記事情報の中から、要求のあった記事情報を記事入力／校正端末１に出力する。更に、係員の指示などに従って、蓄積している記事情報を組版編集サーバ８に出力する。
【００３０】
請求項３の発明では、新聞の各紙面に掲載すべき記事やモノクロ画像やカラー画像からなる複数の各要素を管理する組版編集サーバと、組版編集サーバから各要素をそれぞれ読出して各紙面上に配置する組版端末と、紙面に配置された画像にカラー画像が含まれている場合、カラー画像をカラー表示するための第１の表示用画像データ、およびカラー画像をモノクロ表示するための第２の表示用画像データを、カラー画像毎に記憶した画像データ記憶手段と、組版端末によって記事やモノクロ画像やカラー画像が配置された紙面をモノクロ表示する場合には、配置されたカラー画像に対応する第２の表示用画像データを用いて、記事とモノクロ画像とカラー画像とともにモノクロ表示し、組版端末によって記事やモノクロ画像やカラー画像が配置された紙面をカラー表示する場合には、記事とモノクロ画像とをモノクロ表示し、カラー画像については、カラー画像に対応する第１の表示用画像データを用いてカラー表示する表示手段とを備える。
【００３１】
画像サーバ４は、画像入力／加工端末３から出力された画像データ、または加工された画像データを受け取り、蓄積する。また、画像入力／加工端末３からの要求により、蓄積している画像データの中から、要求のあった画像データを画像入力／加工端末３に出力する。更に、係員の指示などに従って、蓄積している画像データを組版端末５および組版編集サーバ８に出力する。
【００３２】
組版端末５は、例えばワークステーションやパーソナルコンピュータで構成されており、係員による各記事または画像の配置（割付）操作の入力を受け付け、配置の終了した紙面の領域を配置領域データとして組版編集サーバ８に出力する。この配置操作のとき、カラー画像については、カラー表示するかあるいはモノクロ表示するかといった表示方法も指定して、組版編集サーバ８に出力する。この組版端末５は、図２に示すように、入力デバイス１１と、ディスプレイ１２と、グラフィカルユーザインタフェースモジュール１３と、レイアウトモジュール１４と、紙面データ記憶部１５と、カラー画像表示切替手段１６とを備えている。
【００３３】
入力デバイス１１は、組版編集サーバ８に蓄積されている記事や画像をグラフィカルユーザインタフェースモジュール１３を介して取得し、それらの紙面上における配置場所や表示方法（カラー版あるいはモノクロ版）に関する入力を係員から受け付け、その結果を配置領域データとしてグラフィカルユーザインタフェースモジュール１３に出力する。
【００３４】
また、組版編集サーバ８に蓄積されている配置領域データを変更する場合には、組版編集サーバ８に蓄積されている配置領域データをグラフィカルユーザインタフェースモジュール１３を介して取得し、それらの変更入力を係員から受け付け、変更した配置領域データをグラフィカルユーザインタフェースモジュール１３に出力する。ここで、配置領域データの変更とは、紙面上における記事や画像の変更、配置場所の変更、表示方法の変更（カラー版→モノクロ版、あるいはモノクロ版→カラー版）等である。
【００３５】
ディスプレイ１２は、グラフィカルユーザインタフェースモジュール１３を介して画像サーバ４から取得される画像データや、組版編集サーバ８から取得される版下の紙面イメージデータを表示する。
【００３６】
グラフィカルユーザインタフェースモジュール１３は、画像サーバ４と組版端末５の、および組版編集サーバ８と組版端末５のインタフェースであり、入力デバイス１１からの要求に基づいて画像サーバ４や組版編集サーバ８に蓄積されている種々のデータを所得して、入力デバイス１１あるいはディスプレイ１２に出力する。また、入力デバイス１１から出力された配置領域データや配置領域データの変更データを取得するとともに、組版編集サーバ８およびレイアウトモジュール１４に出力する。特に、紙面の表示方法について変更（カラー版→モノクロ版、あるいはモノクロ版→カラー版）があった場合には、その変更内容をカラー画像表示切替手段１６に出力する。
【００３７】
レイアウトモジュール１４は、グラフィカルユーザインタフェースモジュール１３から出力される配置領域データに基づいて、版下の紙面イメージデータと紙面データとを作成する。
【００３８】
そして、この紙面イメージデータをグラフィカルユーザインタフェースモジュール１３に出力する。グラフィカルユーザインタフェースモジュール１３に出力されたこの紙面イメージデータは、係員の要求に基づいてディスプレイ１２から出力されるものである。また、この紙面データを紙面データ記憶部１５に出力する。紙面データ記憶部１５に出力された紙面データは、紙面データ記憶部１５において記憶される。
【００３９】
また、レイアウトモジュール１４は、係員からの要求に基づいて、紙面データ記憶部１５に記憶されている紙面データを適宜取り出して、その紙面データに基づいて紙面イメージデータを作成し、グラフィカルユーザインタフェースモジュール１３に出力する。
【００４０】
図３は、このような紙面データの一例を示すデータ構成図である。
【００４１】
図３に示すように、紙面データは、面＃１（第１番目の面）の紙面データ１０１、面＃２の紙面データ１０２、…のように各面毎に紙面データを有している。
【００４２】
面＃１の紙面データ１０１は、更に、面＃１の面固有データ１０１．ＣＯＭと、各要素情報１０１．１、１０１．２・・・とを有している。
【００４３】
面固有データ１０１．ＣＯＭは、更に、図４に例示するように、掲載年月日１０１．ＣＯＭ．ＫＤ、面名１０１．ＣＯＭ．ＭＮ、版名１０１．ＣＯＭ．ＨＮ、段数値１０１．ＣＯＭ．ＤＮ、字詰値１０１．ＣＯＭ．ＪＺ、行数値１０１．ＣＯＭ．ＧＹ、文字サイズ１０１．ＣＯＭ．ＭＪ、段間値１０１．ＣＯＭ．ＤＫ、行間値１０１．ＣＯＭ．ＧＫ、カラー版／モノクロ版区分１０１．ＣＯＭ．ＣＨを有している。
【００４４】
要素情報の種別としては、紙面内の構成要素である記事、画像、小組などがある。
【００４５】
要素情報の種別が画像の場合には、図５（第１要素）、図８（第ｊ要素）、図１０（第ｍ要素）に例示するように、要素情報の番号＆（＆＝１、ｊ、ｍ）毎にフラグ１０１．＆．ＦＬ、要素種別１０１．＆．ＳＢ、要素ＩＤ１０１．＆．ＩＤ、配置状態１０１．＆．ＨＳ、画像のＸ方向寸法１０１．＆．ＺＸ、画像のＹ方向寸法１０１．＆．ＺＹ、配置位置座標１０１．＆．ＸＹ、色区分１０１．＆．ＣＬ、画像の表示画データのディレクトリ／ファイル名１０１．＆．ＡＤ１、画像の表示画データ１０１．＆．ＩＭの各データを有している。色区分１０１．＆．ＣＬは、該当紙面がカラー版かモノクロ版かを区別するデータである。
【００４６】
要素情報の種別が記事の場合には、図６（第２要素）、図７（第ｉ要素）に例示するように、要素情報の番号＆（＆＝２、ｉ）毎にフラグ１０１．＆．ＦＬ、要素種別１０１．＆．ＳＢ、要素ＩＤ１０１．＆．ＩＤ、配置状態１０１．＆．ＨＳ、配置位置座標１０１．＆．ＸＹ、配置寸法１０１．＆．ＳＺ、記事のテキストの格納ディレクトリ／ファイル名１０１．＆．ＡＤ１、記事のテキスト１０１．＆．ＴＸ、記事の組版済テキスト１０１．＆．ＬＸの各データを有している。
【００４７】
要素情報の種別が小組の場合には、図９（第ｋ要素）に例示するように、要素情報の番号＆（＆＝ｋ）毎に無効／有効フラグ１０１．＆．ＦＬ、要素種別１０１．＆．ＳＢ、要素ＩＤ１０１．＆．ＩＤ、配置状態１０１．＆．ＨＳ、Ｘ方向寸法１０１．＆．ＺＸ、Ｙ方向寸法１０１．＆．ＺＹ、配置位置座標１０１．＆．ＸＹ、要素登録数１０１．＆．ＬＴ、小組内要素の要素ＩＤ１０１．＆．ＫＳ１、１０１．＆．ＫＳ２の各データを有している。
【００４８】
カラー画像表示切替手段１６は、紙面の表示方法に関する変更があった場合（カラー版→モノクロ版、あるいはモノクロ版→カラー版）には、その変更内容情報をグラフィカルユーザインタフェースモジュール１３から取得する。そして、その変更内容が、カラー画像をカラー版からモノクロ版に変更する場合には、図１１に示すフローチャートにしたがって動作し、紙面データ記憶部１５に記憶されている該当紙面データを書き換える。また、カラー画像をモノクロ版からカラー版に変更する場合には、図１２に示すフローチャートにしたがって動作し、紙面データ記憶部１５に記憶されている該当紙面データを書き換える。
【００４９】
紙面データファイル７は、紙面データ記憶部１５に記憶されている紙面データを組版編集サーバ８を介して取得し、蓄積する。また、組版編集サーバ８から配置領域データを取得し、蓄積する。そして、新聞を構成する全ての配置領域データを蓄積すると、その配置領域データを組版編集サーバ８を介して出力サーバ９へ送出する。
【００５０】
組版編集サーバ８は、記事サーバ２および画像サーバ４から出力される記事情報および画像データを蓄積するとともに、これら蓄積した記事情報および画像データを組版端末５側からの要求に基づいて、組版端末５のグラフィカルユーザインタフェースモジュール１３に出力する。また、組版端末５のグラフィカルユーザインタフェースモジュール１３から出力された配置領域データを蓄積するとともに、紙面データファイル７に出力する。
【００５１】
更に、組版編集サーバ８は、組版端末５側から出力される紙面データを蓄積するとともに、紙面データを紙面データファイル７出力する。
【００５２】
出力サーバ９は、組版編集サーバ８を介して紙面データファイル７から出力された配置領域データをドットデータに変換し、このドットデータをプリンタ／プロッタ１０に出力する。
【００５３】
プリンタ／プロッタ１０は、出力サーバ９から出力されたドットデータに基づいて、大刷や版下として出力する。
【００５４】
次に、以上のように構成した本発明の実施の形態に係る新聞紙面制作システムの動作についてフローチャートを用いて説明する。
【００５５】
まず、図１１のフローチャートを用いて、ディスプレイ１２から出力される紙面イメージデータの表示方法が、カラー版からモノクロ版に変更になった場合における動作について説明する。
【００５６】
紙面イメージデータの表示方法を変更する場合には、紙面データ記憶部１５に記憶されている紙面データがカラー画像表示切替手段１６に取得され、そこで第１要素情報から順にその表示方法が参照される（Ｓ１）。
【００５７】
そして、まず第１要素情報について、無効／有効フラグ１０１．１．ＦＬが確認され、この要素情報が有効である場合（Ｓ２：Ｙｅｓ）には、ステップＳ３に進み、無効である場合（Ｓ２：Ｎｏ）には、ステップＳ９に進む。
【００５８】
次に、第１要素情報の要素種別１０１．１．ＳＢが確認され、「画像」である場合（Ｓ３：Ｙｅｓ）には、ステップＳ４に進み、「画像」でない場合（「記事」や「小組」など）には、ステップＳ９に進む。
【００５９】
ステップＳ４では、第１要素情報の色区分１０１．１．ＣＬが確認され、「カラー版」である場合（Ｓ４：Ｙｅｓ）には、ステップＳ５に進み、「モノクロ版」である場合には、ステップＳ９に進む。
【００６０】
色区分１０１．１．ＣＬにおいて「カラー版」表示と指定されている第１要素情報の表示方法を「モノクロ版」に変更する場合（Ｓ５：Ｙｅｓ）においては、ステップＳ６に進む。一方、表示方法を変更しない場合（カラー版のまま）（Ｓ５：Ｎｏ）においては、ステップＳ７に進む。
【００６１】
表示方法を「カラー版」から「モノクロ版」に変更する場合には、カラー画像表示切替手段１６によって色区分１０１．１．ＣＬのデータが「カラー版」から「モノクロ版」に書き換えられることによって変更がなされる（Ｓ６）。
【００６２】
次に、画像サーバ４に対して、この要素ＩＤ１０１．１．ＩＤに対応する画像データの取得要求がなされる（Ｓ７）。この要素の表示方法がステップＳ５において、「カラー版」から「モノクロ版」へと変更された場合においては、画像サーバ４に対して、「モノクロ版」の画像データが要求される。一方、ステップＳ５において、表示方法が変更されなかった場合（カラー版のまま）においては、画像サーバ４に対して「カラー版」の画像データが要求される。
【００６３】
ステップＳ８では、ステップＳ７にて要求された画像データが画像サーバ４から取得され、この要素の表示画データ１０１．１．ＩＭとして格納される。また、このとき、この要素の画像の表示画データの格納ディレクトリ・ファイル名１０１．１．ＡＤ１も更新される（Ｓ８）。
【００６４】
そして、ステップＳ９では、ステップＳ１からステップＳ８までの処理が、紙面データの全ての要素に対してなされたか否かが確認される（Ｓ９）。そして、紙面データの全ての要素に対して処理がなされた場合（Ｓ９：Ｙｅｓ）には、表示方法を「カラー表示」から「モノクロ表示」に変更する一連の処理を完了する。
【００６５】
一方、次の要素についても処理を行う場合には、ステップＳ１０を介してステップＳ２に戻り、第２要素情報、第３要素情報・・・についても順次表示方法の変換処理が行われて紙面データが書き換えられ、それに伴って、紙面データ内のカラー画像の表示画データも入れ替えられ、紙面データ記憶部１５に記憶される。
【００６６】
その後、レイアウトモジュール１４を介して通常の画面表示処理を実行することによって、ディスプレイ１２から、変更された表示方法に基づいてカラー画像が表示される。
【００６７】
次に、図１２のフローチャートを用いて、ディスプレイ１２から出力する紙面イメージデータの表示方法が、モノクロ版からカラー版に変更になった場合における動作について説明する。
【００６８】
図１２のフローチャートは、図１１のフローチャートのステップＳ５をステップＳ１５に、ステップＳ６をステップＳ１６にそれぞれ置き換えたものであり、その他のステップであるステップＳ１〜Ｓ４、ステップＳ７〜ステップＳ１０は同一である。
【００６９】
ステップＳ１からステップＳ４については、図１１で既に説明した通りなので、ここでは重複説明を避ける。
【００７０】
ステップＳ１５では、色区分１０１．１．ＣＬにおいて「モノクロ版」表示と指定されている第１要素情報の表示方法を、「カラー版」に変更する場合（Ｓ１５：Ｙｅｓ）においては、ステップＳ１６に進む。一方、表示方法を変更しない場合（Ｓ１５：Ｎｏ）においては、ステップＳ７に進む。
【００７１】
表示方法を「モノクロ版」から「カラー版」に変更する場合には、カラー画像表示切替手段１６を介して、色区分１０１．１．ＣＬのデータを「モノクロ版」から「カラー版」に書き換えることによって変更がなされる（Ｓ１６）。
【００７２】
次に、画像サーバ４に対して、この要素ＩＤ１０１．１．ＩＤに対応する画像データの取得要求がなされる（Ｓ７）。この要素の表示方法がステップＳ１５において、「モノクロ版」から「カラー版」へと変更された場合においては、画像サーバ４に対して、「カラー版」の画像データが要求される。一方、ステップＳ１５において、表示方法が変更されなかった場合（モノクロ版のまま）においては、画像サーバ４に対して「モノクロ版」の画像データが要求される。
【００７３】
ステップＳ８については、図１１で既に説明したとおりなので、ここでは重複説明を避ける。
【００７４】
ステップＳ９では、ステップＳ１からステップＳ８までの処理が、紙面データの全ての要素に対してなされたか否かが確認される（Ｓ９）。そして、紙面データの全ての要素に対して処理がなされた場合（Ｓ９：Ｙｅｓ）には、表示方法を「モノクロ表示」から「カラー表示」に変更する一連の処理を完了する。
【００７５】
一方、次の要素についても処理を行う場合には、ステップＳ１０を介してステップＳ２に戻り、第２要素情報、第３要素情報・・・についても順次表示方法の変換処理が行われて紙面データが書き換えられ、それに伴って、紙面データ内のカラー画像の表示画データも入れ替えられ、紙面データ記憶部１５に記憶される。
【００７６】
その後、レイアウトモジュール１４を介して通常の画面表示処理を実行することによって、ディスプレイ１２から、変更された表示方法に基づいてカラー画像が表示される。
【００７７】
なお、上述した説明では、カラー画像を「カラー版」から「モノクロ版」に変更する場合（図１１）と、カラー画像を「モノクロ版」から「カラー版」に変更する場合（図１２）とを分けて説明しているが、図１３のフローチャートに示すように、カラー画像の表示方法の変更をまとめて行うようにしても良い。
【００７８】
すなわち、図１３に示すフローチャートは、ステップＳ１からステップＳ４は図１１のフローチャートで説明した通りであるが、ステップＳ２５では、色区分１０１．１．ＣＬで定義されている表示方法を変更する場合（Ｓ２５：Ｙｅｓ）においては、ステップＳ２６に進む。一方、表示方法を変更しない場合（Ｓ２５：Ｎｏ）においては、ステップＳ７に進む。
【００７９】
そして、ステップＳ２６では、表示方法の変更内容に基づいて、カラー画像表示切替手段１６を介して、色区分１０１．１．ＣＬのデータを書き換えることによって表示方法の変更設定がなされる（Ｓ２６）。
【００８０】
次に、画像サーバ４に対して、この要素ＩＤ１０１．１．ＩＤに対応する画像データの取得要求がなされる（Ｓ７）。この要素の表示方法がステップＳ２５において、「カラー版」から「モノクロ版」へと変更された場合においては、画像サーバ４に対して、「モノクロ版」の画像データが要求される。また、ステップＳ２５において、「モノクロ版」から「カラー版」へと変更された場合においては、画像サーバ４に対して、「カラー版」の画像データが要求される。
【００８１】
一方、ステップＳ２５において、表示方法が変更されなかった場合（モノクロ版のまま、あるいはカラー版のまま）においては、画像サーバ４に対して元々設定されていた画像データが要求される。
【００８２】
ステップＳ８については、図１１で既に説明したとおりなので、ここでは重複説明を避ける。
【００８３】
ステップＳ９では、ステップＳ１からステップＳ８までの処理が、紙面データの全ての要素に対してなされたか否かが確認される（Ｓ９）。そして、紙面データの全ての要素に対して処理がなされた場合（Ｓ９：Ｙｅｓ）には、表示方法を「モノクロ表示」から「カラー表示」に、または、「カラー表示」から「モノクロ表示」に変更する一連の処理を完了する。
【００８４】
一方、次の要素についても処理を行う場合には、ステップＳ１０を介してステップＳ２に戻り、第２要素情報、第３要素情報・・・についても順次表示方法の変換処理が行われて紙面データが書き換えられ、それに伴って、紙面データ内のカラー画像の表示画データも入れ替えられ、紙面データ記憶部１５に記憶される。
【００８５】
その後、レイアウトモジュール１４を介して通常の画面表示処理を実行することによって、ディスプレイ１２から、変更された表示方法に基づいてカラー画像が表示される。
【００８６】
上述したように、本発明の実施の形態に係る新聞紙面制作システムにおいては、要素情報の色区分データを設定することによって、紙面の表示方法（カラー版／モノクロ版）に基づいたカラー画像データを取得し、そのカラー画像データが配置された紙面イメージデータをディスプレイ１２から表示することができる。
【００８７】
紙面の表示方法が変更になった場合でも、その変更内容に基づいてカラー画像データを取得し、そのカラー画像データが配置された紙面イメージデータをディスプレイ１２から表示することができる。
【００８８】
また、モノクロ画像データについては、そのモノクロ画像データが配置された紙面の表示方法がカラー版であってもモノクロ版であっても、常にモノクロ表示することができる。
【００８９】
その結果、版下を印刷する前に、ディスプレイ１２上であらかじめ、その紙面のイメージを視覚的に確認することが可能となる。
【００９０】
なお、図１１から図１３に示すフローチャートでは、表示方法が変更される度に、画像サーバ４に対して所定の画像データを要求しているが、表示方法の変更は何回も発生する訳ではないので実用上、その画像データの取得に要する時間は問題にならない。画像サーバ４に記憶された画像データを、組版端末５側にも記憶しておき、表示方法を変更する場合には、紙面データの要素情報における表示画データの格納ディレクトリ／ファイル名１０１．１．ＡＤ１のファイル名を指定して、この組版端末５から所定の画像データを直接読み出すことによって画像データの取得に要する時間を短縮することもできる。
【００９１】
ただし、このように画像データを画像サーバ４と組版端末５との両方で記憶する場合には、画像サーバ４で記憶する画像データは、画像入力／加工端末３から入力された全ての画像データであり、一方、組版端末５で記憶する画像データは、紙面に掲載される画像データのみとするなどして、画像サーバ４で記憶されている画像データと、その管理区分や、画像データの実体の形式（たとえば、画像サーバ４側の画像データの形式を二値ＣＭＹＫ分色形式とし、組版端末５側の画像データの形式をＲＧＢ形式とする）など異なるものとしてその機能を分離する。
【００９２】
以上、本発明の好適な実施の形態について、添付図面を参照しながら説明したが、本発明はかかる構成に限定されない。特許請求の範囲に記載された技術的思想の範疇において、当業者であれば、各種の変更例及び修正例に想到し得るものであり、それら変更例及び修正例についても本発明の技術的範囲に属するものと了解される。
【００９３】
【発明の効果】
以上説明したように、本発明によれば、組版端末上で、紙面の表示方法がカラー版として指定された場合には、カラー画像をカラーで表示するとともにモノクロ画像をモノクロで表示し、一方、紙面の表示方法がモノクロ版として指定された場合には、カラー画像をモノクロで表示するとともにモノクロ画像をモノクロで表示することができる。
【００９４】
以上により、係員がディスプレイを介して、版下の印刷に先立って、紙面のイメージを視覚的に確認することが可能な新聞紙面制作システムを実現することができる。
【図面の簡単な説明】
【図１】本発明の実施の形態に係る新聞紙面制作システムの一例を示す機能構成図。
【図２】組版端末の一例を示す機能構成図。
【図３】紙面データの一例を示すデータ構成図。
【図４】面＃１の固有データの一例を示すデータ構成図。
【図５】面＃１の第１要素情報の一例を示すデータ構成図。
【図６】面＃１の第２要素情報の一例を示すデータ構成図。
【図７】面＃１の第ｉ要素情報の一例を示すデータ構成図。
【図８】面＃１の第ｊ要素情報の一例を示すデータ構成図。
【図９】面＃１の第ｋ要素情報の一例を示すデータ構成図。
【図１０】面＃１の第ｍ要素情報の一例を示すデータ構成図。
【図１１】紙面イメージデータの表示方法が、カラー版からモノクロ版に変更になった場合における動作を示すフローチャート。
【図１２】紙面イメージデータの表示方法が、モノクロ版からカラー版に変更になった場合における動作を示すフローチャート。
【図１３】紙面イメージデータの表示方法が、カラー版からモノクロ版に、またはモノクロ版からカラー版に変更になった場合における動作を示すフローチャート。
【図１４】一般的な新聞の構成を示す模式図。
【符号の説明】
１…記事入力／校正端末、
２…記事サーバ、
３…画像入力／加工端末、
４…画像サーバ、
５…組版端末、
７…紙面データファイル、
８…組版編集サーバ、
９…出力サーバ、
１０…プリンタ／プロッタ、
１１…入力デバイス、
１２…ディスプレイ、
１３…グラフィカルユーザインタフェースモジュール、
１４…レイアウトモジュール、
１５…紙面データ記憶部、
１６…カラー画像表示切替手段、
３１…新聞、
３２…紙面、
３３…大組、
３４…小組、
３５…画像、
３６…記事、
３７…広告。
【図１】
0003844942.tif 000002
【図２】
0003844942.tif 000003
【図３】
0003844942.tif 000004
【図４】
0003844942.tif 000005
【図５】
0003844942.tif 000006
【図６】
0003844942.tif 000007
【図７】
0003844942.tif 000008
【図８】
0003844942.tif 000009
【図９】
0003844942.tif 000010
【図１０】
0003844942.tif 000011
【図１１】
0003844942.tif 000012
【図１２】
0003844942.tif 000013
【図１３】
0003844942.tif 000014
【図１４】
0003844942.tif 000015